(57)【要約】【課題】      シ−ト材端部の縫着を外観良く取り付けられる縁取り部材を提供することである。【解決手段】  縁取り部材１、２は可撓性を有する合成樹脂で形成され、釣り用ケ−ス３を構成する正面シ−ト材４と側面シ−ト材５の周囲の端部が縁取り部材１を介して縫着され、裏面シ−ト材６と側面シ−ト材５の周囲の端部が縁取り部材２を介して縫着され、縁取り部材１、２は釣り用ケ−ス３の周囲を囲む長さで、断面は頭部１ａ、２ａと頭部１ａ、２ａから突出した突片１ｂ、２ｂを有し、突片１ｂ、２ｂの両側の頭部１ａ、２ａに食い込むようにシ−ト材端部を挿入する溝１ｃ、２ｃと１ｄ、２ｄが形成されている。【選択図】        図３
2007319292.tif 000002
【特許請求の範囲】
【請求項１】
シ−ト材の端部に取り付ける縁取り部材において、該縁取り部材は頭部と該頭部から突出した突片を有し、前記頭部にシ−ト材端部を挿入する溝を設けたことを特徴とする縁取り部材。
【請求項２】
シ−ト材端部を挿入する溝は突片に沿って頭部に形成されていることを特徴とする請求項１記載の縁取り部材。
【発明の詳細な説明】
【技術分野】
【０００１】
本発明は、バックや衣服や靴等のシ−ト材の端部を縫製等で固定する時に使用する縁取り部材に関する。
【背景技術】
【０００２】
従来バックや衣服や靴等のシ−ト材の端部を縫製等で固定した時、型崩れしたり、端部の糸がほつれたり、端部が露出するので見栄えが悪い欠点があり、ほつれを防止したり外観をよくする為に端部は縁取り部材で覆って縫製されている。
特許文献１では、ソフトバックの生地の端部にパイピンを縫着しているが、このパイピンは弾性を有する金属線の回りを欠円管部で覆った頭部と、欠円管部の端縁から延びる片部からなり、この片部に２枚の生地を夫々端部が内側になるように縫着しているので、パイピンの加工が面倒である。
特許文献２では、開口部周縁の体裁を良くし、収納物が側面の上端と被せ蓋との間隙より落下しないようにした被せ蓋式鞄で、被せ蓋式鞄の鞄本体と脱落防止片の間に縁取条を固定しているが、鞄本体の生地が薄い時には上端部が外にめくれる等で外観を損ねることになる。
【特許文献１】特開２００６−１０２１５３号公報
【特許文献２】登録実用新案第３０２９０２５号公報
【発明の開示】
【発明が解決しようとする課題】
【０００３】
解決しようとする問題点は、パイピンの加工が面倒であったり、縁取条に固定した生地の端が外にめくれて外観を損ねることである。
【０００４】
本発明の目的は前記欠点に鑑み、シ−ト材端部の縫着を外観良く取り付けられる縁取り部材を提供することである。
【課題を解決するための手段】
【０００５】
本発明の請求項１は、シ−ト材の端部に取り付ける縁取り部材において、該縁取り部材は頭部と頭部から突出した突片を有し、頭部にシ−ト材端部を挿入する溝を設けたことを要旨とするものである。
本発明の請求項２は、シ−ト材端部を挿入する溝は突片に沿って頭部に形成されていることを要旨とするものである。
【発明の効果】
【０００６】
本発明により、縁取り部材に固定したシ−ト材端部が頭部の溝に挿入されるのでシ−ト材端部がめくれて外観を損ねることがない。
【発明を実施するための最良の形態】
【０００７】
縁取り部材１、２は可撓性を有する合成樹脂で形成され、釣り用ケ−ス３を構成する正面シ−ト材４と側面シ−ト材５の周囲の端部が縁取り部材１を介して縫着され、裏面シ−ト材６と側面シ−ト材５の周囲の端部が縁取り部材２を介して縫着している。
縁取り部材１、２は釣り用ケ−ス３の周囲を囲む長さで、断面は頭部１ａ、２ａと頭部１ａ、２ａから突出した突片１ｂ、２ｂを有し、突片１ｂ、２ｂの両側の頭部１ａ、２ａに食い込むようにシ−ト材端部を挿入する溝１ｃ、２ｃと１ｄ、２ｄが形成されている。
溝１ｃの幅は複数枚のシ−ト材端部が挿入可能な幅に形成されている。
シ−ト材４、５、６は、釣り用ケ−ス３の場合棉などの天然素材、ナイロンなど合成樹脂繊維の織布、塩化ビニ−ル、エチレン酢酸ビニ−ル等の合成樹脂のシ−ト材、皮革で構成されている。
釣り用ケ−ス３の上面には開口３ａが形成されて開口３ａにチャック１０が取り付けられている。
【実施例１】
【０００８】
以下、図示の一実施例によって本発明を説明すると、図１は縁取り部材で縁取りした釣り用ケ−スの斜視図、図２は縁取り部材で縁取りした釣り用ケ−スの縦断面側面図、図３は図２の要部拡大縦断面側面図、図４は図２の示矢Ａの拡大縦断面側面図である。
【０００９】
縁取り部材１、２を仕掛け等を収納する釣り用ケ−ス３に使用した例で説明する。
縁取り部材１、２は可撓性を有する合成樹脂で形成され、釣り用ケ−ス３を構成する正面シ−ト材４と側面シ−ト材５の周囲の端部が縁取り部材１を介して縫着で接合され、裏面シ−ト材６と側面シ−ト材５の周囲の端部が縁取り部材２を介して縫着で接合されている。
縁取り部材１、２は釣り用ケ−ス３の周囲を囲む長さに形成され、断面は図３に示すように肉厚に形成した頭部１ａ、２ａと頭部１ａ、２ａから突出しそれぞれ頭部１ａ、２ａより肉薄に形成した突片１ｂ、２ｂを有し、突片１ｂ、２ｂに沿って頭部１ａ、２ａに食い込むようにシ−ト材端部を挿入する溝１ｃ、２ｃと１ｄ、２ｄが突片１ｂ、２ｂの両側に形成されている。
溝１ｃは、頭部１ａ、２ａの突片１ｂ、２ｂが突設された部分から突片１ｂ、２ｂのシ−ト材が添設される側面に沿って頭部１ａ、２ａの内方に向けて凹状に形成されており、複数のシ−ト材端部が挿入可能な幅に形成され、溝１ｃに差し込まれたシ−ト材４、１４、１５等は突片１ｂに添設されて止着（縫着）されている。
シ−ト材４、５、６は、釣り用ケ−ス３の場合棉などの天然素材、ナイロンなど合成樹脂繊維の織布、塩化ビニ−ル、エチレン酢酸ビニ−ル等の合成樹脂のシ−ト材、皮革で構成されている。
釣り用ケ−ス３の上面には開口３ａが形成されて開口３ａにチャック１０が取り付けられている。
【００１０】
図示の釣り用ケ−ス３の場合は、前側にポケット１１とポケットの蓋１２が設けられているので、縁取り部材１の突片１ｂの一方の面には正面シ−ト材４とポケット用シ−ト材１３と蓋用シ−ト材１４、１５が当てられ、突片１ｂの他方の面に側面シ−ト材５が当てられると共に端部が溝１ｃ、１ｄに挿入されて縫着で止着されている。
蓋用シ−ト材１４、１５は一方が表シ−ト材１４で他方が裏シ−ト材１５である。
縁取り部材２の突片２ｂの一方の面には裏面シ−ト材６が当てられ、突片２ｂの他方の面に側面シ−ト材５が当てられると共に端部が溝２ｃ、２ｄに挿入されて縫着で止着されている。
【００１１】
ポケット１１のポケット用シ−ト材１３の上端には他の縁取り部材７が設けられている。
縁取り部材７は断面で頭部７ａと頭部７ａから突出した突片７ｂと頭部７ａに食い込むようにシ−ト材端部を挿入する溝７ｃで形成されている。
ポケットの蓋１２の蓋用シ−ト材１４、１５の端部は縁取り部材８で縁取りされている。
縁取り部材８は断面で頭部８ａと頭部８ａから突出した突片８ｂを有し、突片８ｂの両側の頭部８ａに食い込むようにシ−ト材端部を挿入する溝８ｃ、８ｄで形成されている。
縁取り部材８の軽量化と柔軟性を図るために図４のように頭部８ａに孔８ｅを形成してもよい。
【００１２】
前記のように縁取り部材が構成されると、縁取り部材１、２、７、８に止着したシ−ト材端部が頭部の溝に挿入されるので外にめくれて外観を損ねることがない。
【産業上の利用可能性】
【００１３】
前記説明では、縁取り部材で縁取りした釣り用ケ−スを実施例にして述べたが、衣服や靴の縁取り等に利用できる。
【図面の簡単な説明】
【００１４】
【図１】縁取り部材で縁取りした釣り用ケ−スの斜視図である。
【図２】縁取り部材で縁取りした釣り用ケ−スの縦断面側面図である。
【図３】図２の要部拡大縦断面側面図である。
【図４】図２の示矢Ａの拡大縦断面側面図である。
【符号の説明】
【００１５】
１、２、７、８  縁取り部材
１ａ、２ａ、７ａ、８ａ  頭部
１ｂ、２ｂ、７ｂ、８ｂ  突片
１ｃ、２ｃ、１ｄ、２ｄ、７ｃ、８ｃ、８ｄ  溝
４、５、１４、１５  シ−ト材
【図１】
2007319292.tif 000003
【図２】
2007319292.tif 000004
【図３】
2007319292.tif 000005
【図４】
2007319292.tif 000006